(57)【要約】      （修正有）【課題】文字を認知しやすく、使用が便利で、日本語文字入力効率が顕著に向上される文字配列を提供する。【解決手段】日本語文字全体を日本語文字が有する５段規則の５０音図に基づいて、系列別に区分した文字段と文字行の全体構成図を作成した後、言語分析によるキーパッド使用文字構成図を作成して、数字キーボタン１０個と機能キーボタン２個の１２個で構成された携帯電話キーパッドに文字を配列するが、数字１のキーボタンに「かが」を、数字２のキーボタンに「さざ」を、数字３のキーボタンに「いぃ」を、数字４のキーボタンに「ただ」を、数字５のキーボタンに「なま」を、数字６のキーボタンに「うぅ」を、数字７のキーボタンに「はばぱ」を、数字８のキーボタンに「やゃ」を、数字９のキーボタンに「えぇ」を、機能＊のキーボタンに「らわ」を、数字０のキーボタンに「あぁ」を、機能＃のキーボタンに「おぉ」を順次に配列する。【選択図】図１
2015022468.tif 000002
【特許請求の範囲】
【請求項１】
日本語キーパッドにおいて、数字キーボタン１０個と機能キーボタン２個の１２個で構成された携帯電話のキーパッドに文字配列をする際に、
数字１のキーボタンに「かが」を表記順で配列し、
数字２のキーボタンに「さざ」を表記順で配列し、
数字３のキーボタンに「いぃ」を表記順で配列し、
数字４のキーボタンに「ただ」を表記順で配列し、
数字５のキーボタンに「なま」を表記順で配列し、
数字６のキーボタンに「うぅ」を表記順で配列し、
数字７のキーボタンに「はばぱ」を表記順で配列し、
数字８のキーボタンに「やゃ」を表記順で配列し、
数字９のキーボタンに「えぇ」を表記順で配列し、
機能＊のキーボタンに「らわ」を表記順で配列し、
数字０のキーボタンに「あぁ」を表記順で配列し、
機能＃のキーボタンに「おぉ」を表記順で配列することを特徴とする日本語キーパッド。
【発明の詳細な説明】
【技術分野】
【０００１】
本発明は携帯電話のキーパッドにおける日本語文字配列に関するもので、従来の日本語文字配列より文字を認知しやすく、使用が便利で、日本人及び外国人の文字入力効率が顕著に向上される新しい日本語文字配列に関する。
【背景技術】
【０００２】
従来の携帯電話のキーパッドにおける日本語文字配列は、
第一、文字入力に用いられる文字全体の数が多くて、音声通信の際に電話番号入力用として用いられる数字中心に構成された１２個のキーボタンに文字を全部配列することができなくて、現在多く使われる文字の一部を配列しているが、ボタンの押す回数が多くて、文字入力の効率が劣るという短所からキーパッドの使用に不便を与えるという問題点がある。
【０００３】
第二、上記の日本語文字の配列と使用上の問題点から、アルファベットを利用しているが、付随的な機能であるアルファベットの組合方法を学んでからこそ使うことができるため、非常に不便である。
【０００４】
第三、外国人は携帯電話を利用した日本語文字の作成において、日本語を外国語として学ぶ基本的な困難があり、上記第一、二の困難が加重されて日本語の文章を作成できないという問題点がある
【発明の概要】
【発明が解決しようとする課題】
【０００５】
本発明は上述した問題点を解決するために創出されたもので、携帯電話のキーパッドにおける日本語文字配列に新しい方法を考案して適用した配列で、従来の日本語文字配列やアルファベットを利用した組合方法より、文字を認知しやすく、使用が便利で、日本語文字入力効率が顕著に向上される文字配列を提供することを目的にしている。
【課題を解決するための手段】
【０００６】
上記目的を達するために、本発明は日本語文字全体を日本語文字が有する５段規則の５０音図に基づいて、文字段と文字行の系列別に区分した文字全体構成図を作成した後、言語分析によるキーパッド使用文字構成図を作成して、数字キーボタン１０個と機能キーボタン２個の１２個で構成された携帯電話キーパッドに文字を配列するが、数字１のキーボタンに「かが」を、数字２のキーボタンに「さざ」を、数字３のキーボタンに「いぃ」を、数字４のキーボタンに「ただ」を、数字５のキーボタンに「なま」を、数字６のキーボタンに「うぅ」を、数字７のキーボタンに「はばぱ」を、数字８のキーボタンに「やゃ」を、数字９のキーボタンに「えぇ」を、機能＊のキーボタンに「らわ」を、数字０のキーボタンに「あぁ」を、機能＃のキーボタンに「おぉ」を順次に配列することを特徴とする日本語キーパッドを提供する。
【発明の効果】
【０００７】
本発明による携帯電話キーパッドの新しい日本語文字配列の効果を説明すれば次の通りである。
【０００８】
携帯電話のキーパッドにおける日本語文字配列の新しい方法は、日本語を使用し、母音と子音とで区分して、母音と子音の組合方法を適用した新しい日本語文字配列で、携帯電話の１２個のキーに母音キー５つと残余キー７つに子音１５字を組み合わせて配列する方法である。そこで、キーパッドに日本語文字を全部配列しなくても、文字全体を容易で且つ早く入力することができ、配列が日本語文字５段の構成図で学んで頭の中に記憶された構成図の流れをそのまま維持する配列で、従来の日本語文字配列やアルファベットを利用した組合方法より認知しやすく、使用が便利で文字入力が迅速で、効率が顕著に向上されるキーパッドである。
【図面の簡単な説明】
【０００９】
【図１】携帯電話のキーパッドにおける日本語文字配列図である。
【発明を実施するための形態】
【００１０】
言語分析：キーボードに配列される日本語文字について検討して見る。
【００１１】
初めて日本語を学ぶ際には清音５０音図から学ぶ。５０音図以外の文字の５音図は別途に学んで、５０音図と清音以外の文字の連結ができなくて、文字全体に対する認知が不十分である。全体文字に対する構成が一目瞭然に把握されて、認知及び使用が容易になるように、カタカナ・平仮名の清音・濁音・半濁音・拗音などの全体文字を５０音図に基づいて、系列別に区分した文字段と文字行の構成図を作成すれば次の通りである。
【００１２】
カタカナ・平仮名の清音・濁音・半濁音・拗音などの全体文字構成図
（上部：カタカナ、下部：平仮名  ）
【表１】
2015022468.tif 000003
【００１３】
キーパッド文字配列・使用原則
１．音声通信の際に電話番号入力用として用いられる数字キーボタン１０個と機能キーボタン２個の１２個で構成された携帯電話キーパッドに日本語文字を配列する。
２．日本語文字を上記１２個のキーボタンに配列するためには文字数を減らす必要がある。
３．日本語文字の５段（５音）規則を利用して、キーパッドで文字の組合で用いるために、日本語の文字を子音と母音に指定し、子音と母音を組み合わせる方法で入力する。
【００１４】
文字構成分析：上記全体文字構成図を説明すれば、
１．５段規則の「あぁかがさざただなはばぱまら」１４行７０字がある。
２．５段不規則の行と文字がある。
２−１．行において３字構成の「やゃ」行と４字構成の「わ」行及び１字構成の「ゎん」行がある。
２−２．文字において、５段以外の「っ―ヴ」３文字がある。
３．使用率の低い「か」行の「ヵヶ」２字がある。
【００１５】
キーパッド使用文字構成図作成
１２個で構成されたキーパッドに日本語文字の５段規則を利用して文字を子音と母音に区分して、子音と母音を組み合わせる方法で用いるためには、５段不規則の行と文字を規則的な５段に補ったキーパッド使用構成図を作成して用いる。
【００１６】
１．５段における「やゃわ」行の空いている空間に、１字配列の「ゎん」２字と５段以外の「っ―ヴ」３字を入れて構成する方法で、「やゃわ」行別に以下のように配列する。
１−１．３字配列の「や」行に「や、ゆ、よ、ヴ、―」を配列する。
「や」行の３字を順次に配列し、２つの空間に「あ」行の５段以外の「ヴ」と「な」行の５段以外の「―」を順次に配列する。
１−２．３字配列の「ゃ」行に「ゃ、ゅ、ょ、ゎ、っ」を配列する。
「ゃ」行の３字を順次に配列し、２つの空間に１字構成の拗音「ゎ」と「た」行の５段以外の「っ」を順次に配列する。
１−３．４字配列の「わ」行に「わ、ゐ、ゑ、を、ん」を配列する。
「わ」行の４字を順次に配列して１つの空間に１字構成の「ん」を配列する。
【００１７】
キーパッド使用文字構成図
【表２】
2015022468.tif 000004
【００１８】
キーパッドにおける日本語配列文字区分
規則的な５段のキーパッド使用文字構成図によって、１２個のキーボタンに配列するための文字の区分は以下の通りである。
【００１９】
１．母音で拗音を有する文字行の最初行「あ」行に文字「あいうえお」５字がある。
１−１．上記「あ」行文字の拗音「ぁぃぅぇぉ」５字がある。
２．規則的な５段を構成する文字行の最初段文字「かがさざただなはばぱまやゃらわ」行の文字７５字がある。
３．使用率の低い「か」行の「ヵヶ」行がある。
【００２０】
文字配列
１．文字行の最初行文字「あいうえお」を母音として順次に右側キーボタンに配列し、上記「あ」行文字の拗音「ぁぃぅぇぉ」を同一キーボタンに配列する。
２．規則的な５段を構成する「かがさざただなはばぱまやゃらわ」文字行の７５字を全部配列することができないので、文字行の最初段文字「かがさざただなはばぱまやゃらわ」１５字を子音として左側に配列し、上記文字行の最初行「あ」行文字「あいうえお」を母音にして、文字の組合母音として用いる。
２−１．上記の子音と母音の名称は日本語の言語的規定による子音と母音ではなくて、キーパッドに配列して、文字の組合で使うための名称である。
３．母音は子音と組み合わせて用いられ、母音キーボタン５つを構成し、子音はそれぞれ用いられて子音１５字を７つのキーボタンに文字構成図の文字行の手順によって配列し、組合区分は以下の通りである。
３−１．「かが／さざ／ただ」行は清音・濁音の同一系列構成で、それぞれキーボタンに２字ずつ配列する。
３−２．「な」行と「ま」行は濁音のない１字で構成されて、「ま」行を文字構成図の順序を変えて「な」と「ま」の文字を１つのキーボタンに配列する。
３−３．「はばぱ」行は清音、濁音、半濁音の同一系列で３字を１つのキーボタンに配列する。
３−４．文字構成図の順序によって「やゃ」と「らわ」をそれぞれ１つのキーボタンに配列する。
３−５．上記の子音組合配列：かが／さざ／ただ／なま／はばぱ／やゃ／らわ
４．「か」行の「ヵヶ」は使用率が低いので、キーボタンに配しないで、必要の時、文字表を使って利用する。
【００２１】
本発明を添付された図面を参照して詳しく説明すれば次の通りである。
【００２２】
図のように、数字１のキーボタンに「かが」、数字２のキーボタンに「さざ」、数字３のキーボタンに「いぃ」、数字４のキーボタンに「ただ」、数字５のキーボタンに「なま」、数字６のキーボタンに「うぅ」、数字７のキーボタンに「はばぱ」、数字８のキーボタンに「やゃ」、数字９のキーボタンに「えぇ」、機能＊のキーボタンに「らわ」、数字０のキーボタンに「あぁ」、機能＃のキーボタンに「おぉ」を配列する。
【００２３】
文字入力方法：上記配列の文字入力方法を説明すれば次の通りである。
【００２４】
１．キーボタン３・６・９・＃・０に配列された文字行の最初行文字「あいうえお」は１回押して単独文字として直接入力するか、文字の組合母音として用いる。
１−１．同一キーボタンに配列された拗音「ぁぃぅぇぉ」は２回押して単独文字でとして直接入力する。
２．規則的な５段を構成する文字７５字は文字組合に用いる。
２−１．文字行の最初段文字「かがさざただなはばぱまやゃらわ」を子音にし、最初行文字「あいうえお」を母音にして、上記子音キーを押してから上記母音キーを押すと、キーパッド使用文字構成図の組み合わせた文字が入力される。
２−１−１．数字１のキーボタンの第一「か」行を入力する際に、数字１のキーボタンを一度押して子音「か」の文字が現われた状態で、母音「あいうえお」を押せば「かきくけこ」が入力される。
２−１−１−１．上記「か」行の入力事項を詳しく説明すれば、数字１のキーボタンを一度押して子音「か」の文字が現われた状態で、数字０（あ）のキーボタンを押せば「か」が入力され、数字１のキーボタンを一度押して子音「か」の文字が現われた状態で、数字３（い）のキーボタンを押せば「き」が入力され、数字１のキーボタンを一度押して子音「か」の文字が現われた状態で、数字６（う）のキーボタンを押せば「く」が入力され、数字１のキーボタンを一度押して子音「か」の文字が現われた状態で、数字９（え）のキーボタンを押せば「け」が入力され、数字１のキーボタンを一度押して子音「か」の文字が現われた状態で、機能＃（お）のキーボタンを押せば「こ」が入力される。
２−１−２．数字１のキーボタンの二番目「が」行の入力において、数字１のキーボタンを二度押して子音「が」の文字が現われた状態で、母音「あいうえお」を押せば「がぎぐげご」が入力される。
２−１−２−１．上記「が」行の入力事項を詳しく説明すれば、数字１のキーボタンを二度押して子音「が」の文字が現われた状態で、数字０（あ）のキーボタンを押せば「が」が入力され、数字１のキーボタンを二度押して子音「が」の文字が現われた状態で、数字３（い）のキーボタンを押せば「ぎ」が入力され、数字１のキーボタンを二度押して子音「が」の文字が現われた状態で、数字６（う）のキーボタンを押せば「ぐ」が入力され、数字１のキーボタンを二度押して子音「が」の文字が現われた状態で、数字９（え）のキーボタンを押せば「げ」が入力され、数字１のキーボタンを二度押して子音「が」の文字が現われた状態で、機能＃（お）のキーボタンを押せば「ご」が入力される。
２−１−３．以下、順次に配列された数字２のキーボタン「さざ」、数字４のキーボタン「ただ」、数字５のキーボタン「なま」、数字７のキーボタン「はばぱ」、数字８のキーボタン「やゃ」、機能＊のキーボタン「らわ」のキーパッド使用文字構成図の組み合わせた文字入力方法は上記の通りである。
２−２．早く入力するために、使用率の高い文字行の最初段文字「かがさざただなはばぱまやゃらわ」の場合、後に文字組合母音として使われる「あいうえお」ではない他の文字が来る時、上記文字を単独文字として直接入力する。
２−２−１．文字組合に使われる子音「かがさざただなはばぱまやゃらわ」行の各段において、配列された最初段の「あ」段文字が下端（い・う・え・お段）文字より使用率が高い。
２−２−２．平仮名の入力時、上記２−１の方法で「はいらあがあなあ」に入力されるが、早く入力するために、上記２−２の方法で「はいらがな」に入力され、２つの入力方法を兼用する。
２−３．キーパッドの文字の組合に使われる「あ」行において、上記２−２の事項で、最初段「あ」の文字が下端「いうえお」の文字より使用率が低くなって、「あ」行配列において文字構成図の順序を変えて「いうえおあ」の順に「あ」の文字を数字０に配列する。
３．同一キーボタンの文字を連続して入力する場合、文字を押した後、所定時間経過後に入力し、再び同一キーボタンの文字を押して入力する。
３−１．数字１のキーボタンに配列された「かが」において、「か」や「が」を選択して押して「か」や「が」が現われた状態で、所定時間経過後に「か」や「が」を入力し、再び数字１のキーボタンの「か」や「が」を選択して押して入力する。
【図１】
2015022468.tif 000005